(57)【要約】【課題】小型化を図る上で有利なレンズ移動機構、カメラおよび電子機器を提供する。【解決手段】第１鏡筒２００２の外側に第２鏡筒２００４が軸方向に移動不能で回転のみ可能に結合されている。第１可動レンズ支持枠は、光軸方向に直線移動可能にかつ回転不能に第１鏡筒２００２の内部に配設されている。第１構造体２０４８に電流が供給され、第２構造体２０５０に電流が供給されない場合には、第１構造体２０４８が短縮することにより、第２鏡筒２００４が固定レンズの前方から見て時計方向に回転され、第１カム面２０３４が移動することにより、第１カムピン２０２６が光軸方向に移動され、これにより第１可動レンズ支持枠２０２０が光軸方向で撮像素子１２方向に移動される。【選択図】　　　　図１
2004069950.tif 000002
【特許請求の範囲】
【請求項１】
互いに光軸を合致させた状態で回転可能に結合された第１鏡筒および第２鏡筒と、前記第１鏡筒の内部に光軸方向に移動可能に配設された可動レンズと、前記第１鏡筒上で第２鏡筒を回転させる回転手段と、前記第２鏡筒が回転した際に前記可動レンズを第１鏡筒に対して光軸方向に移動させるカム手段とを備えるレンズ移動機構であって、
前記回転手段は、第１鏡筒と第２鏡筒とにわたって設けられた構造体を含んで構成され、
前記構造体は、通電による自己発熱によって記憶された形状に復帰する形状記憶合金からその長さが変化するように形成されている、
ことを特徴とするレンズ移動機構。
【請求項２】
前記構造体は、通電による自己発熱によってその長さが短縮して前記第２鏡筒をその回転方向の一方に回転させる第１構造体と、通電による自己発熱によってその長さが短縮し前記第２鏡筒をその回転方向の他方に回転させる第２構造体とで構成されていることを特徴とする請求項１記載のレンズ移動機構。
【請求項３】
前記構造体は、互いに平行して延在して２つ設けられていることを特徴とする請求項１記載のレンズ移動機構。
【請求項４】
前記２つの構造体は単一の線状の形状記憶合金から構成され、その形状記憶合金の両端が第１鏡筒側に取着され、その形状記憶合金の中間部が第２鏡筒側に取着されていることを特徴とする請求項３記載のレンズ移動機構。
【請求項５】
前記２つの構造体は２本の線状の形状記憶合金から別々に形成され、それら形状記憶合金の一端が第１鏡筒側に取着され、それら形状記憶合金の他端が第２鏡筒側に互いに電気的に導通した状態で取着されていることを特徴とする請求項３記載のレンズ移動機構。
【請求項６】
前記第１構造体と第２構造体の一方の端部は、前記第２鏡筒に設けられた単一の取付固定部に取着され、前記第１構造体と第２構造体は前記第１鏡筒の外周面上でそれぞれ周方向の反対方向に延在し、それらの端部は前記第１鏡筒に設けられた別々の取付固定部に取着されていることを特徴とする請求項２記載のレンズ移動機構。
【請求項７】
前記構造体は、前記第１鏡筒上にコイル状に巻装され、その一方の端部が第１鏡筒に固定され、他方の端部が第２鏡筒に固定されていることを特徴とする請求項１記載のレンズ移動機構。
【請求項８】
フレームに支持された第１鏡筒と、前記第１鏡筒に対して互いに光軸を合致させた状態で回転可能に結合された第２鏡筒と、前記第１鏡筒の内部に光軸方向に移動可能に配設された可動レンズと、前記第１鏡筒上で第２鏡筒を回転させる回転手段と、前記第２鏡筒が回転した際に前記可動レンズを第１鏡筒に対して光軸方向に移動させるカム手段とを備えるレンズ移動機構であって、
前記回転手段は、前記フレームと第２鏡筒とにわたって設けられた構造体を含んで構成され、
前記構造体は、通電による自己発熱によって記憶された形状に復帰する形状記憶合金からその長さが変化するように形成されている、
ことを特徴とするレンズ移動機構。
【請求項９】
前記構造体は、通電による自己発熱によってその長さが短縮して前記第２鏡筒をその回転方向の一方に回転させる第１構造体と、通電による自己発熱によってその長さが短縮し前記第２鏡筒をその回転方向の他方に回転させる第２構造体とで構成されていることを特徴とする請求項８記載のレンズ移動機構。
【請求項１０】
前記構造体は、互いに異なった箇所でフレームと第２鏡筒とにわたって２つ設けられ、これら２つの構造体の端部は、前記第２鏡筒上で電気的に導通されていることを特徴とする請求項８記載のレンズ移動機構。
【請求項１１】
フレームで支持された撮像素子と、
フレームで支持され前記撮像素子の前方に配置された第１鏡筒と、
前記第１鏡筒の内部に光軸方向に移動可能に配置された可動レンズと、
前記第１鏡筒に光軸を合致させた状態で回転可能に結合された第２鏡筒と、
前記第１鏡筒上で第２鏡筒を回転させる回転手段と、
前記第２鏡筒が回転した際に前記可動レンズを第１鏡筒に対して光軸方向に移動させるカム手段とを備えたカメラであって、
前記回転手段は、第１鏡筒と第２鏡筒とにわたって設けられた構造体を含んで構成され、
前記構造体は、通電による自己発熱によって記憶された形状に復帰する形状記憶合金からその長さが変化するように形成されている、
ことを特徴とするカメラ。
【請求項１２】
フレームで支持された撮像素子と、
フレームで支持され前記撮像素子の前方に配置された第１鏡筒と、
前記第１鏡筒の内部に光軸方向に移動可能に配置された可動レンズと、
前記第１鏡筒に光軸を合致させた状態で回転可能に結合された第２鏡筒と、
前記第１鏡筒上で第２鏡筒を回転させる回転手段と、
前記第２鏡筒が回転した際に前記可動レンズを第１鏡筒に対して光軸方向に移動させるカム手段とを備えたカメラであって、
前記回転手段は、前記フレームと第２鏡筒とにわたって設けられた構造体を含んで構成され、
前記構造体は、通電による自己発熱によって記憶された形状に復帰する形状記憶合金からその長さが変化するように形成されている、
ことを特徴とするカメラ。
【請求項１３】
フレームで支持された撮像素子と、
前記撮像素子から出力される撮像信号に基づいて画像を表示する画像表示手段と、
前記フレームで支持され前記撮像素子の前方に配置された第１鏡筒と、
前記第１鏡筒の内部に光軸方向に移動可能に配置された可動レンズと、
前記第１鏡筒に光軸を合致させた状態で回転可能に結合された第２鏡筒と、
前記第１鏡筒上で第２鏡筒を回転させる回転手段と、
前記第２鏡筒が回転した際に前記可動レンズを第１鏡筒に対して光軸方向に移動させるカム手段とを備えた電子機器であって、
前記回転手段は、第１鏡筒と第２鏡筒とにわたって設けられた構造体を含んで構成され、
前記構造体は、通電による自己発熱によって記憶された形状に復帰する形状記憶合金からその長さが変化するように形成されている、
ことを特徴とする電子機器。
【請求項１４】
フレームで支持された撮像素子と、
前記撮像素子から出力される撮像信号に基づいて画像を表示する画像表示手段と、
前記フレームで支持され前記撮像素子の前方に配置された第１鏡筒と、
前記第１鏡筒の内部に光軸方向に移動可能に配置された可動レンズと、
前記第１鏡筒に光軸を合致させた状態で回転可能に結合された第２鏡筒と、
前記第１鏡筒上で第２鏡筒を回転させる回転手段と、
前記第２鏡筒が回転した際に前記可動レンズを第１鏡筒に対して光軸方向に移動させるカム手段とを備えた電子機器であって、
前記回転手段は、前記フレームと第２鏡筒とにわたって設けられた構造体を含んで構成され、
前記構造体は、通電による自己発熱によって記憶された形状に復帰する形状記憶合金からその長さが変化するように形成されている、
ことを特徴とする電子機器。
【発明の詳細な説明】
【０００１】
【発明の属する技術分野】
本発明は、レンズ移動機構、カメラおよび電子機器に関する。
【０００２】
【従来の技術】
ビデオカメラ、デジタルスチルカメラ等に用いられているレンズ鏡筒は、複数の可動レンズを有して構成され、変倍（ズーム）調整や焦点調整を行う為に、前記可動レンズをモータ等により光軸方向に移動させる構成となっている。
また、近年、ビデオカメラやデジタルスチルカメラをＰＤＡ、携帯電話機等の電子機器へ内蔵するために、小型のレンズ鏡筒が作られる様になってきている。
【０００３】
【発明が解決しようとする課題】
しかしながら、ズーム調整や焦点調整が可能なレンズ鏡筒は、可動レンズを移動させるモータ等によって大きなスペースを占有してしまうため、前記携帯電子機器に組み込むことが難しく、したがって、このような携帯電子機器ではズーム機能が無いレンズ鏡筒が用いられているのが現状である。
本発明は、このような実状に鑑みてなされたものであり、小型化を図る上で有利なレンズ移動機構およびこのようなレンズ移動機構を組み込んだカメラ、電子機器を提供することを目的とする。
【０００４】
【課題を解決するための手段】
本発明のレンズ移動機構は上記目的を達成するため、互いに光軸を合致させた状態で回転可能に結合された第１鏡筒および第２鏡筒と、前記第１鏡筒の内部に光軸方向に移動可能に配設された可動レンズと、前記第１鏡筒上で第２鏡筒を回転させる回転手段と、前記第２鏡筒が回転した際に前記可動レンズを第１鏡筒に対して光軸方向に移動させるカム手段とを備えるレンズ移動機構であって、前記回転手段は、第１鏡筒と第２鏡筒とにわたって設けられた構造体を含んで構成され、前記構造体は、通電による自己発熱によって記憶された形状に復帰する形状記憶合金からその長さが変化するように形成されていることを特徴とする。
また、本発明のレンズ移動機構は、フレームに支持された第１鏡筒と、前記第１鏡筒に対して互いに光軸を合致させた状態で回転可能に結合された第２鏡筒と、前記第１鏡筒の内部に光軸方向に移動可能に配設された可動レンズと、前記第１鏡筒上で第２鏡筒を回転させる回転手段と、前記第２鏡筒が回転した際に前記可動レンズを第１鏡筒に対して光軸方向に移動させるカム手段とを備えるレンズ移動機構であって、前記回転手段は、前記フレームと第２鏡筒とにわたって設けられた構造体を含んで構成され、前記構造体は、通電による自己発熱によって記憶された形状に復帰する形状記憶合金からその長さが変化するように形成されていることを特徴とする。
また、本発明のカメラは、フレームで支持された撮像素子と、フレームで支持され前記撮像素子の前方に配置された第１鏡筒と、前記第１鏡筒の内部に光軸方向に移動可能に配置された可動レンズと、前記第１鏡筒に光軸を合致させた状態で回転可能に結合された第２鏡筒と、前記第１鏡筒上で第２鏡筒を回転させる回転手段と、前記第２鏡筒が回転した際に前記可動レンズを第１鏡筒に対して光軸方向に移動させるカム手段とを備えたカメラであって、前記回転手段は、第１鏡筒と第２鏡筒とにわたって設けられた構造体を含んで構成され、前記構造体は、通電による自己発熱によって記憶された形状に復帰する形状記憶合金からその長さが変化するように形成されていることを特徴とする。
また、本発明のカメラは、フレームで支持された撮像素子と、フレームで支持され前記撮像素子の前方に配置された第１鏡筒と、前記第１鏡筒の内部に光軸方向に移動可能に配置された可動レンズと、前記第１鏡筒に光軸を合致させた状態で回転可能に結合された第２鏡筒と、前記第１鏡筒上で第２鏡筒を回転させる回転手段と、前記第２鏡筒が回転した際に前記可動レンズを第１鏡筒に対して光軸方向に移動させるカム手段とを備えたカメラであって、前記回転手段は、前記フレームと第２鏡筒とにわたって設けられた構造体を含んで構成され、前記構造体は、通電による自己発熱によって記憶された形状に復帰する形状記憶合金からその長さが変化するように形成されていることを特徴とする。
また、本発明の電子機器は、フレームで支持された撮像素子と、前記撮像素子から出力される撮像信号に基づいて画像を表示する画像表示手段と、前記フレームで支持され前記撮像素子の前方に配置された第１鏡筒と、前記第１鏡筒の内部に光軸方向に移動可能に配置された可動レンズと、前記第１鏡筒に光軸を合致させた状態で回転可能に結合された第２鏡筒と、前記第１鏡筒上で第２鏡筒を回転させる回転手段と、前記第２鏡筒が回転した際に前記可動レンズを第１鏡筒に対して光軸方向に移動させるカム手段とを備えた電子機器であって、前記回転手段は、第１鏡筒と第２鏡筒とにわたって設けられた構造体を含んで構成され、前記構造体は、通電による自己発熱によって記憶された形状に復帰する形状記憶合金からその長さが変化するように形成されていることを特徴とする。
また、本発明の電子機器は、フレームで支持された撮像素子と、前記撮像素子から出力される撮像信号に基づいて画像を表示する画像表示手段と、前記フレームで支持され前記撮像素子の前方に配置された第１鏡筒と、前記第１鏡筒の内部に光軸方向に移動可能に配置された可動レンズと、前記第１鏡筒に光軸を合致させた状態で回転可能に結合された第２鏡筒と、前記第１鏡筒上で第２鏡筒を回転させる回転手段と、前記第２鏡筒が回転した際に前記可動レンズを第１鏡筒に対して光軸方向に移動させるカム手段とを備えた電子機器であって、前記回転手段は、前記フレームと第２鏡筒とにわたって設けられた構造体を含んで構成され、前記構造体は、通電による自己発熱によって記憶された形状に復帰する形状記憶合金からその長さが変化するように形成されていることを特徴とする。
そのため、本発明のレンズ移動機構、カメラおよび電子機器によれば、構造体が通電されると、該構造体が通電による自己発熱によって記憶された形状に復帰することによって第２鏡筒が回転され、これにより可動レンズが第１鏡筒に対して光軸方向に移動される。
【０００５】
【発明の実施の形態】
以下、本発明によるレンズ移動機構、カメラおよび電子機器の実施の形態を図面に基づいて詳細に説明する。
図２は、本発明の第１の実施の形態における電子機器の構成を示すブロック図である。
電子機器としての携帯電話機１００は、カメラ部１０２、撮影制御手段１０４、レンズ制御手段１０６、表示手段１０８、記憶手段１０９、操作入力手段１１０、通信手段１１２などを備えて構成されている。なお、前記携帯電話機１００は通話やメールなど一般的な携帯電話処理を行なう処理部やその他の従来公知の様々な処理部を有している。
前記カメラ部１０２は、光学系１０と、撮像素子１２と、レンズ移動機構１４と、フレーム１６とを有して構成されている。
前記撮影制御手段１０４は、前記撮像素子１２から入力される撮像信号を処理することにより、該撮像信号に基づく画像を前記表示手段１０６に表示させるように構成されている。
前記レンズ制御手段１０６は、前記操作入力手段１０８から与えられるレンズの移動の指示に基づいて前記レンズ移動機構１４に対して駆動信号を供給するように構成されている。
前記表示手段１０８は、前記撮像信号に基づく画像の表示を行なう他、文字や記号などを含むメッセージの表示が可能に構成されている。
前記記憶手段１０９は、前記映像制御手段１０４から入力される前記撮像信号を記録するように構成されている。
前記操作入力手段１１０は、テンキーを含む複数の操作キーから構成され、該操作入力手段１１０に対してなされた操作によって、前記撮影制御手段１０４に撮影動作の指示や前記レンズ制御手段１０６に対するレンズ移動の指示を与えるように構成されている。
前記通信手段１１２は、前記撮影素子１２あるいは前記記憶手段１０９からの映像信号を前記撮影制御手段１０４を介して入力し、該撮像信号を所定の相手先に通信するように構成されている。
【０００６】
図１は本発明の第１の実施の形態によるレンズ移動機構の斜視図、図３はレンズ移動機構を光軸方向から見た図、図４（Ａ）は図１のＸＸ線断面図、（Ｂ）は図１のＹＹ線断面図である。
図１、図４（Ａ）、（Ｂ）に示すように、前記カメラ部１０２は、円筒状の第１鏡筒（固定鏡筒）２００２と、前記第１鏡筒２００２よりも大きな内径で形成された円筒状の第２鏡筒（可動鏡筒）２００４とを備えている。
前記第１鏡筒２００２はフレーム２００６に固定され、この第１鏡筒２００２の外側に第２鏡筒２００４が軸方向に移動不能で回転のみ可能に結合されている。なお、図３に点線で示すように、第２鏡筒２００４から第１鏡筒２００２の円環溝にピン２００８が挿入固定され、これにより第２鏡筒２００４は第１鏡筒２００２に対して軸方向に移動不能で回転のみ可能に結合されている。
【０００７】
前記カメラ部１０２の光学系１０は、被写体を撮影する固定レンズ２０１０および第１、第２可動レンズ２０１２、２０１４とを備え、これらレンズ２０１０、２０１２、２０１４は第１鏡筒２００２の内部に配設されている。
前記撮像素子１２は、前記光学系１０よって結像された被写体像を受光して撮像信号を出力するように構成されている。前記撮像素子１２は、例えばＣＣＤによって構成することができ、前記撮像素子１２は、第１鏡筒２００２の基部の壁部２０１５に組付けられた基板２０１６に取着されている。
【０００８】
前記固定レンズ２０１０は、前記第１鏡筒２００２の前端に取着され、第１鏡筒２００２の前端の外周にはＯリング２０１８が装着されている。
前記第１可動レンズ２０１２は枠状の第１可動レンズ支持枠２０２０に支持されている。前記第１可動レンズ支持枠２０２０は、第１鏡筒２００２の内部に光軸と平行に配設された２本のガイド軸２０２４に摺動可能に結合され、これにより第１可動レンズ支持枠２０２０は、光軸方向に直線移動可能にかつ回転不能に第１鏡筒２００２の内部に配設されている。
前記第１可動レンズ支持枠２０２０の外周面には、周方向の外方に第１カムピン２０２６が突設され、この第１カムピン２０２６は第１鏡筒２００２の外周面のカム溝２０２８に挿入され、前記カム溝２０２８は光軸と平行する方向に直線状に延在して形成されている。
前記第２可動レンズ２０１４は枠状の第２可動レンズ支持枠２０２２に支持されている。前記第２可動レンズ支持枠２０２２は、前記２本のガイド軸２０２４に摺動可能に結合され、これにより第２可動レンズ支持枠２０２２は、光軸方向に直線移動可能にかつ回転不能に第１鏡筒２００２の内部に配設されている。
前記第２可動レンズ支持枠２０２２の外周面には、周方向の外方に第２カムピン２０３０が突設され、この第２カムピン２０３０は第１鏡筒２００２の外周面のカム溝２０３２に挿入され、前記カム溝２０３２は光軸と平行する方向に直線状に延在して形成されている。
【０００９】
前記第２鏡筒２００４の基部端面には、前記第１可動レンズ支持枠２００２の第１カムピン２０２６に面した箇所に湾曲面状の第１カム面２０３４が周方向に延在形成され、前記第２可動レンズ２００４の第２カムピン２０３０に面した箇所に湾曲面状の第２カム面２０３６が周方向に延在形成されている。
前記第１可動レンズ支持枠２０２０と第２可動レンズ支持枠２０２２の間には、コイルばね２０３８が設けられており、このコイルばね２０３４によって前記第１可動レンズ支持枠２０２０と第２可動レンズ支持枠２０２２とは互いに離間する方向に付勢されている。
また、前記第２可動レンズ支持枠２０２２と、前記撮像素子１２が取着された前記壁部２０１５との間にはコイルばね２０４０が設けられており、このコイルばね２０４０によって前記第２可動レンズ支持枠２０２２は、前記第１鏡筒２００２の基部から離れる方向に付勢されている。
【００１０】
そして、これらコイルばね２０３８、２０４０によって第１、第２可動レンズ支持枠２０２０、２０２２は、前記第１鏡筒の基部から離れる方向に付勢されており、言い換えると第１、第２可動レンズ支持枠２０２０、２０２２は、固定レンズ２０１０に近づく方向に付勢される。
これにより、前記第１可動レンズ支持枠２０２０の第１カムピン２０２６は前記第２鏡筒２００４の第１カム面２０３４に常時当接され、前記第２可動レンズ支持枠２０２２の第２カムピン２０３０は前記第２鏡筒２００４の第２カム面２０３６に常時当接されている。
【００１１】
前記第２鏡筒２００４の外周面には、周方向の外方に向けて第２鏡筒側取付ピン２０４２（特許請求の範囲の単一の取付固定部に相当）が突設され、さらに、第１カムピン２０２６が第１カム面２０３４に当接し、第２カムピン２０３０が第２カム面２０３６に当接した状態で、前記第１鏡筒２００２の外周面で前記第２鏡筒側取付ピン２０４２の周方向の両側箇所に第１、第２取付ピン２０４４、２０４６（特許請求の範囲の取付固定部に相当）が突設されている。
前記取付ピン２０４２、２０４４、２０４６は、導電性を有する材料で構成され、これら各取付ピン２０４２、２０４４、２０４６には、前記レンズ制御手段１０６によって前記駆動信号としての電流が供給されるように構成されている。具体的には、前記各取付ピン２０４２、２０４４、２０４６のそれぞれには、前記レンズ制御手段１０６からの駆動信号を供給するための独立したリード線（不図示）が接続されている。
【００１２】
前記レンズ移動機構１４は、可動レンズを光軸方向に動かすものであり、通電による自己発熱によって記憶された形状に復帰する線状の形状記憶合金からなる構造体を含んで構成されている。
本実施の形態では、前記構造体は、第１構造体と第２構造体とで構成されている。
前記第１構造体は、線状の形状記憶合金をコイル状に形成したもので、通電による自己発熱によってその長さが短縮し前記第２鏡筒をその回転方向の一方に回転させるように構成されている。
前記第２構造体は、線状の形状記憶合金をコイル状に形成したもので、通電による自己発熱によってその長さが短縮し前記第２鏡筒をその回転方向の他方に回転させるように構成されている。
前記第１構造体２０４８は、前記第２鏡筒側取付ピン２０４２と第１取付ピン２０４４との間に掛け渡され、第１構造体２０４８の一端は前記第２鏡筒側取付ピン２０４２に導電性接着剤によって固着され、他端は前記第１取付ピン２０４４に導電性接着剤によって固着されている。
前記第２構造体２０５８は、前記第２鏡筒側取付ピン２０４２と第２取付ピン２０４６との間に掛け渡され、第２構造体２０５０の一端は前記第２鏡筒側取付ピン２０４２に導電性接着剤によって固着され、他端は前記第２取付ピン２０４６に導電性接着剤によって固着されている。
すなわち、前記第１構造体２０４８と第２構造体２０５０は前記第１鏡筒２００２の外周面上でそれぞれ周方向の反対方向に延在し、それらの端部は前記第１鏡筒２００２に設けられた第１、第２取付ピン２０４４、２０４６に取着されていることになる。
【００１３】
したがって、前記第１構造体２０４８に電流が供給され、第２構造体２０５０に電流が供給されない場合には、前記第１構造体２０４８が短縮することにより、前記第２鏡筒２００４が前記固定レンズ２０１０の前方から見て時計方向に回転される。
前記第２鏡筒２００４の時計方向の回転によって第１カム面２０３４が移動することにより、第１カムピン２０２６が前記光軸方向に移動され、これにより前記第１可動レンズ支持枠２０２０が光軸方向で前記撮像素子１２方向に移動される。
また、前記第２鏡筒２００４の時計方向の回転によって第２カム面２０３６が移動することにより、第２カムピン２０３０が前記光軸方向に移動され、これにより前記第２可動レンズ支持枠２０２２が光軸方向で前記撮像素子１２方向に移動される。
【００１４】
また、前記第１構造体２０４８に電流が供給されず、第２構造体２０５０に電流が供給される場合には、前記第２構造体２０５０が短縮することにより、前記第２鏡筒２００４が前記固定レンズ２０１０の前方から見て反時計方向に回転される。
前記第２鏡筒２００４の反時計方向の回転によって第１カム面２０３４が移動することにより、第１カムピン２０２６が前記光軸方向に移動され、これにより前記第１可動レンズ支持枠２０２０が光軸方向で前記固定レンズ２０１０方向に移動される。
また、前記第２鏡筒２００４の反時計方向の回転によって第２カム面２０３６が移動することにより、第２カムピン２０３０が前記光軸方向に移動され、これにより前記第２可動レンズ支持枠２０２２が光軸方向で前記固定レンズ２０１０方向に移動される。
【００１５】
そして、前記第１鏡筒２００２の第１、第２カムピン２０２６、２０３０と、第２鏡筒２００４の第１、第２カム面２０３４、２０３６と、前記第１、第２構造体２０３８、２０４０によって前記第１、第２可動レンズ２０１２、２０１４を光軸方向に移動する前記レンズ移動機構１４が構成されている。
また、本実施の形態においては、前記第１鏡筒２００２の第１、第２カムピン２０２６、２０３０と、第２鏡筒２００４の第１、第２カム面２０３４、２０３６とによって特許請求の範囲のカム手段が構成され、前記第１、第２構造体２０３８、２０４０によって特許請求の範囲の回転手段が構成されている。
【００１６】
また、本実施の形態では、前記レンズ移動機構１４によって前記第１可動レンズ２０１２および第２可動レンズ２０１４が前記固定レンズ２０１０に対して移動することにより、前記光学系１０によるズーム比が変化するように構成されている。
【００１７】
次に上述のように構成された携帯電話機１００によって光学系のズーム比を変更する際の作用について説明する。
携帯電話機１００の利用者が光学系１０を広角に設定するための操作を前記操作入力手段１１０に対して行なうと、これに対応して前記レンズ制御手段１０６は、前記第２鏡筒側取付ピン２０４２と第２取付ピン２０４６に電圧を印加することにより前記電流の供給を行なう。
すると、前記第２構造体２０５０が短縮することで前記第１可動レンズ２０１２、第２可動レンズ２０１４は、前記レンズ移動機構１４の作用によって固定レンズ２０１０に近接する方向に移動される。この結果、前記光学系１０は、そのズーム比が広角となるように設定される。
【００１８】
携帯電話機１００の利用者が光学系１０を望遠に設定するための操作を前記操作入力手段１１０に対して行なうと、これに対応して前記レンズ制御手段１０６は、前記電流を前記第２鏡筒側取付ピン２０４２と第１取付ピン２０４４に電圧を印加することにより前記電流の供給を行なう。
すると、前記第１構造体２０４８が短縮することで前記第１可動レンズ２０１２、第２可動レンズ２０１４は、前記レンズ移動機構１４の作用によって前記撮像素子１２に近接する方向に移動される。この結果、前記光学系１０は、そのズーム比が望遠となるように設定される。
【００１９】
以上説明したように、本実施の形態のレンズ移動機構１４は、第１、第２鏡筒２００２、２００４と、第１鏡筒２００２の内部に光軸方向に移動可能に配設され前記第２鏡筒２００４が回転することで第１鏡筒２００２に対して光軸方向に移動する第１、第２可動レンズ２０１２、２０１４とを備え、前記第２鏡筒２００４の回転が前記第１鏡筒２００２と第２鏡筒２００４とにわたって設けられた形状記憶合金からなる第１、第２構造体２０４８、２０５０の伸縮で行なわれるように構成した。
このため、第１、第２構造体は構造が簡素で占有スペースも少なくて済むので、レンズ移動機構を小型化する上で有利である。また、このようなレンズ移動機構を組み込んだカメラや携帯電話機、ＰＤＡ（Ｐｅｒｓｏｎａｌ　Ｄｉｇｉｔａｌ　Ａｓｓｉｓｔａｎｔ）、ノート型パーソナルコンピュータなどの電子機器の小型化を図る上で有利である。
また、第１、第２構造体は、その動作時に雑音が発生しないので、電子機器の静粛性を高める上で有利となる。特に、携帯電話機においては、前記雑音が送話器（内蔵マイク）を介して携帯電話機の使用者に届くことがないのでより好ましい。
また、前記第１構造体２０４８の両端を第２鏡筒側取付ピン２０４２と第１取付ピン２０４４に固着するに際して、および、前記第２構造体２０３０の両端を前記第２鏡筒側取付ピン２０４２と第２取付ピン２０４６に固着するに際して導電性接着剤を用いたので、半田付けや圧接の場合に比べてこれら第１、第２構造体と各取付ピンとの電気的な導通を長期間安定した状態に保持する上で有利である。
【００２０】
なお、前記第１、第２構造体２０４８、２０５０と第２鏡筒側取付ピン２０４２との取付は、以下に示す第１乃至第３の変形例による構成で行なうこともできる。
第１の変形例は、図５（Ａ）に示すように、電気的に導通性を有する材料から構成された接続金具２０４３Ａを前記第２鏡筒側取付ピン２０４２に取着し、該接続端子２０４３に第１、第２構造体２０４８、２０５０の端部を溶接により固着する。また、前記接続金具２０４３には第１、第２構造体２０４８、２０５０に電流を供給するためのリード線Ｌを半田付けによって接続する。
この場合は、第１、第２構造体２０４８、２０５０と接続金具２０４３Ａとを溶接によって接続するので、半田付けや圧接の場合に比べてこれら第１、第２構造体と接続金具２０４３との電気的な導通を長期間安定した状態に保持する上で有利である。
【００２１】
第２変形例は、図５（Ｂ）に示すように、接続金具２０４３Ｂを前記第２鏡筒側取付ピン２０４２に取着する。
また、第１構造体２０４８を２つの構造体で構成し、第２構造体２０５０を２つの構造体で構成する。
第１構造体２０４８では、前記２つの構造体が互いに間隔をおいて並設して配置されるように、一本の線状の形状記憶合金の両端を第１鏡筒２００２側の箇所に取着するとともに、前記一本の形状記憶合金の中間部を前記接続金具２０４３Ｂに取着する。
第２構造体２０５０では、前記２つの構造体が互いに間隔をおいて並設して配置されるように、一本の線状の形状記憶合金の両端を第１鏡筒２００２側の箇所に取着するとともに、前記一本の形状記憶合金の中間部を前記接続金具２０４３Ｂに取着する。
この場合、接続金具２０４３Ｂと、第１、第２構造体２０４８、２０５０とは電気的に絶縁されている。
第１構造体２０４８に電流を流す際は該第１構造体２０４８の両端に電圧を印加し、第２構造体２０５０に電流を流す際は該第２構造体２０５０の両端に電圧を印加する。
この場合は、第１、第２構造体２０４８、２０５０のそれぞれが並設された２つの構造体で構成されているので、第１、第２構造体２０４８、２０５０が通電された場合に発生する伸縮力が第１の実施の形態の場合に比較して大きなものとすることができ、第２鏡筒２００４の回転速度を向上させる上で有利となる。
また、前述した第１の実施の形態の構成では、前記第２鏡筒側取付ピン２０４２に接続されるリード線が第２鏡筒２００４の回転に伴って移動しており、第１変形例の構成では、前記接続金具２０４３Ａに接続されるリード線Ｌが、第２鏡筒２００４の回転に伴って移動するものとなっていたが、第２変形例では、第２鏡筒２００４の回転に伴うリード線の移動が生じないので、電気的な接続の信頼性を向上する上で有利となる。
【００２２】
第３変形例は、図５（Ｃ）に示すように、第１構造体２０４８を２本の線状の形状記憶合金を用いてそれぞれ形成した２つの構造体で構成し、第２構造体２０５０を２本の線状の形状記憶合金を用いてそれぞれ形成した２つの構造体で構成する。
第１構造体２０４８では、前記２つの構造体２０４８Ａ、２０４８Ｂを互いに間隔をおいて並設して配置し、それらの一端を前記第２鏡筒側接続ピン２０４２に互いに導通するように導電性接着剤Ａで取着する。また、２つの構造体２０４８Ａ、２０４８Ｂのそれぞれの他端を第１鏡筒２００２側の箇所に取着する。
第２構造体２０５０では、前記２つの構造体２０５０Ａ、２０５０Ｂを互いに間隔をおいて並設して配置し、それらの一端を前記第２鏡筒側接続ピン２０４２に互いに導通するように導電性接着剤Ａで取着する。また、２つの構造体２０４８Ａ、２０４８Ｂのそれぞれの他端を第１鏡筒２００２側の箇所に取着する。
第１構造体２０４８に電流を流す際は２つの構造体２０４８Ａ、２０４８Ｂのそれぞれの他端に電圧を印加し、第２構造体２０５０に電流を流す際は２つの構造体２０５０Ａ、２０５０Ｂのそれぞれの他端に電圧を印加する。
この場合は、第１、第２構造体２０４８、２０５０のそれぞれが並列された２つの構造体から構成されているので、第１、第２構造体２０４８、２０５０が通電された場合に発生する伸縮力が前記第２の変形例と同様に大きなものとすることができ、第２鏡筒２００４の回転速度を向上させる上で有利となる。
また、第２変形例と同様に、第２鏡筒２００４の回転に伴ってリード線が移動しない構成となっているので、電気的な接続の信頼性を向上する上で有利となる。
【００２３】
次に、第２の実施の形態について説明する。
第２の実施の形態が第１の実施の形態と異なる点は、構造体の構成である。
図６は第２の実施の形態によるレンズ移動機構の斜視図である。図６において第１の実施の形態を示す図１、図３、図４と同様の部分には同一の符号を付してその説明を省略する。
前記第２鏡筒２００４の外周面には、周方向の外方に向けて第２鏡筒側取付ピン２０４２が突設されている。
前記第１鏡筒２００２の外周面には、周方向の外側に向けて第１鏡筒側取付ピン２０５２が突設されている。
前記取付ピン２０４２、２０５２は、導電性を有する材料で構成され、これら各取付ピン２０４２、２０５２には、前記レンズ制御手段１０６によって前記駆動信号としての電流が供給されるように構成されている。
具体的には、前記各取付ピン２０４２、２０５２のそれぞれには、前記レンズ制御手段１０６からの駆動信号を供給するための独立したリード線（不図示）が接続されている。
構造体２０５４は、第１の実施の形態と同様に、通電による自己発熱によって記憶された形状に復帰する線状の形状記憶合金から構成されている。
本実施の形態では、前記構造体２０５４は、前記第１鏡筒２００２の外周面上に前記形状記憶合金がコイル状に巻装されて形成されている。前記構造体２０５４の一方の端部は前記第１鏡筒側取付ピン２０５２に導電性接着剤によって固着され、他方の端部は前記第２鏡筒側取付ピン２０４２に導電性接着剤によって固着されている。
【００２４】
第２の実施の形態では、前記構造体２０５４に電流が供給されると、形状記憶合金が発熱して記憶された形状に復帰することで前記構造体２０５４が短縮し、前記第２鏡筒２００４が前記固定レンズ２０１０の前方から見て時計方向に回転される。
前記第２鏡筒２００４の時計方向の回転によって第１カム面２０３４が移動することにより、第１カムピン２０２６が前記光軸方向に移動され、これにより前記第１可動レンズ支持枠２０２０が光軸方向で前記撮像素子１２方向に移動される。
また、前記第２鏡筒２００４の時計方向の回転によって第２カム面２０３６が移動することにより、第２カムピン２０３０が前記光軸方向に移動され、これにより前記第２可動レンズ支持枠２０２２が光軸方向で前記撮像素子１２方向に移動される。
また、前記構造体２０５４に電流が供給されない場合には、該構造体２０５４が電流が供給されない状態における形状記憶合金の形状となり、すなわち前記通電時に比較して伸長することにより、前記第２鏡筒２００４が前記固定レンズ２０１０の前方から見て反時計方向に回転される。もし、反時計方向への回転に関して反応速度を速くしたい場合には、その方向へバネ等により力を加えておいてもよい。
前記第２鏡筒２００４の反時計方向の回転によって第１カム面２０３４が移動することにより、第１カムピン２０２６が前記光軸方向に移動され、これにより前記第１可動レンズ支持枠２０２０が光軸方向で前記固定レンズ２０１０方向に移動される。
また、前記第２鏡筒２００４の反時計方向の回転によって第２カム面２０３６が移動することにより、第２カムピン２０３０が前記光軸方向に移動され、これにより前記第２可動レンズ支持枠２０２２が光軸方向で前記固定レンズ２０１０方向に移動される。
【００２５】
第２の実施の形態では、前記第１鏡筒２００２の第１、第２カムピン２０２６、２０３０と、第２鏡筒２００４の第１、第２カム面２０３４、２０３６と、前記構造体２０５４によって前記第１、第２可動レンズ２０１２、２０１４を光軸方向に移動する前記レンズ移動機構１４が構成されている。
また、前記第１鏡筒２００２の第１、第２カムピン２０２６、２０３０と、第２鏡筒２００４の第１、第２カム面２０３４、２０３６とによって特許請求の範囲のカム手段が構成され、前記構造体２０５４によって特許請求の範囲の回転手段が構成されている。
【００２６】
次に上述のように構成された携帯電話機１００によって光学系のズーム比を変更する際の作用について説明する。
携帯電話機１００の利用者が光学系１０を広角に設定するための操作を前記操作入力手段１１０に対して行なうと、これに対応して前記レンズ制御手段１０６は、前記第２鏡筒側取付ピン２０４２と第２取付ピン２０４６に電圧を印加する。
すると、前記構造体２０５４が短縮することで前記第１可動レンズ２０１２、第２可動レンズ２０１４は、前記レンズ移動機構１４の作用によって固定レンズ２０１０に近接する方向に移動される。この結果、前記光学系１０は、そのズーム比が広角となるように設定される。
【００２７】
携帯電話機１００の利用者が光学系１０を望遠に設定するための操作を前記操作入力手段１１０に対して行なうと、これに対応して前記レンズ制御手段１０６は、前記第２鏡筒側取付ピン２０４２と第１取付ピン２０４４への電圧の印加を停止する。
すると、前記構造体２０５４が伸長することで前記第１可動レンズ２０１２、第２可動レンズ２０１４は、前記レンズ移動機構１４の作用によって前記撮像素子１２に近接する方向に移動される。この結果、前記光学系１０は、そのズーム比が望遠となるように設定される。
【００２８】
以上説明したように、第２の実施の形態のレンズ移動機構１４は、第１、第２鏡筒２００２、２００４と、第１鏡筒２００２の内部に光軸方向に移動可能に配設され前記第２鏡筒２００４が回転することで第１鏡筒２００２に対して光軸方向に移動する第１、第２可動レンズ２０１２、２０１４とを備え、前記第２鏡筒２００４の回転が前記第１鏡筒２００２と第２鏡筒２００４とにわたって設けられた形状記憶合金からなる構造体２０５４の伸縮で行なわれるように構成した。このため、第１の実施の形態と同様に、構造体は構造が簡素で占有スペースも少なくて済むので、レンズ移動機構を小型化する上で有利であり、このようなレンズ移動機構を組み込んだ種々の電子機器の小型化を図る上でも有利である。
また、構造体の動作時に雑音が発生しないので、電子機器の静粛性を高める上で有利となる。
また、前記構造体２０５４の両端を第２鏡筒側取付ピン２０４２と第１鏡筒側取付ピン２０５２に固着するに際して導電性接着剤を用いたので、半田付けや圧接の場合に比べて構造体と各取付ピンとの電気的な導通を長期間安定した状態に保持する上で有利である。
なお、前記第１鏡筒２００２の外周に前記構造体２０５４を巻回するに先立って、線状の形状記憶合金を潤滑性を有する例えばフッ化ビニリデンなどの材料からなるチューブに挿通しておけば、前記構造体２０５４と第１鏡筒２００２の外周面との間に作用する摩擦力を軽減することができ、これにより、第２鏡筒２００４の移動を円滑にする上で有利となる。
【００２９】
図７は第２の実施の形態のレンズ移動機構の変形例を示す説明図である。
この変形例は、前記第２鏡筒２００４の外周面の外側に円筒状のカバー２０５６を取着した点が第２の実施の形態と異なっている。
この変形例では、前記カムピン２０２６、２０３２の先端が前記第２鏡筒２００４の外周面位置よりも低位となるように形成されている。
前記カバー２０５６は、前記第１鏡筒２００２のカム溝２０２８、２０３２の延在方向の全域を覆う長さで構成され、前記カバー２０５６には前記第２鏡筒側取付ピン２０４２を外方に露出するための溝が設けられている。
この変形例によれば、このような構成によれば、前記カムピン２０２６、２０３２の先端と前記構造体２０５４との間に前記カバー２０５６が位置することになり、前記カムピン２０２６、２０３２と構造体２０５４との干渉を防止することができ、これにより、第２鏡筒２００４の移動をより円滑に行なう上で有利となる。
【００３０】
次に、第３の実施の形態について説明する。
第３の実施の形態が第１の実施の形態と異なる点は、構造体の構成と取付である。
図８は第３の実施の形態によるレンズ移動機構の側面図、図９は第３の実施の形態によるレンズ移動機構の平面図である。図８、図９において第１の実施の形態と同一の部材や同様の部分には同一の符号を付してその説明を省略する。
前記第２鏡筒２００４の外周面には、周方向の半分にわたって導電性を有する例えば銅板からなる帯板状の接続部材２０６０が取着され、該接続部材２０６０の両端には導電性を有する第１、第２取付部２０６２、２０６４が形成され、これら第１、第２取付部２０６２、２０６４は、第２鏡筒２００４の周方向で１８０度対称な箇所に位置している。
前記第１鏡筒２００２の基部に位置するフレーム１６には、前記第１鏡筒２００２を中心にして囲む矩形の四隅のそれぞれの位置に第１協動２００２と平行するように第１乃至第４フレーム側取付ピン２０６６、２０６８、２０７０、２０７２が立設されている。
前記第１、第２フレーム側取付ピン２０６６、２０６８は前記接続部材２０６０の第１取付部２０６２を挟んで一直線上に位置している。
前記第３、第４フレーム側取付ピン２０７０、２０７２は前記接続部材２０６０の第２取付部２０６４を挟んで一直線上に位置している。
第１乃至第４フレーム側取付ピン２０６６、２０６８、２０７０、２０７２は、導電性を有する材料で構成され、これら第１乃至第４フレーム側取付ピン２０６６、２０６８、２０７０、２０７２には、前記レンズ制御手段１０６によって前記駆動信号としての電流が供給されるように構成されている。
具体的には、前記第１乃至第４フレーム側取付ピン２０６６、２０６８、２０７０、２０７２のそれぞれには、前記レンズ制御手段１０６からの駆動信号を供給するための独立したリード線（不図示）が接続されている。
本実施の形態では、前記構造体は、第１乃至第４構造体２０７４、２０７６、２０７８、２０８０で構成されている。
【００３１】
前記第１乃至第４構造体２０７４、２０７６、２０７８、２０８０は、線状の形状記憶合金をコイル状に形成したもので、第１の実施の形態と同様に、通電による自己発熱によってその長さが短縮するように構成されている。
前記第１構造体２０７４は、その一方の端部が第１フレーム側取付ピン２０６６に導電性接着剤によって固着され、他方の端部が前記第１取付部２０６２に導電性接着剤によって固着されている。
前記第２構造体２０７６は、その一方の端部が第２フレーム側取付ピン２０６８に導電性接着剤によって固着され、他方の端部が前記第１取付部２０６２に導電性接着剤によって固着されている。
前記第３構造体２０７８は、その一方の端部が第３フレーム側取付ピン２０６８に導電性接着剤によって固着され、他方の端部が前記第２取付部２０６４に導電性接着剤によって固着されている。
前記第４構造体２０８０は、その一方の端部が第４フレーム側取付ピン２０７０に導電性接着剤によって固着され、他方の端部が前記第２取付部２０６４に導電性接着剤によって固着されている。
【００３２】
したがって、前記第１フレーム側取付ピン２０６６と第３フレーム側取付ピン２０７０に電圧が印加されると、前記第１構造体２０７４、第１取付部２０６２、接続部材２０６０、第２取付部２０６４、第３構造体２０７８という経路で電流が流れ、これにより第１、第３構造体２０７４、２０７８が短縮し、前記第２鏡筒２００４が前記固定レンズ２０１０の前方から見て時計方向に回転される。前記第２鏡筒２００４の時計方向の回転によって第１カム面２０３４が移動することにより、第１カムピン２０２６が前記光軸方向に移動され、これにより前記第１可動レンズ支持枠２０２０が光軸方向で前記撮像素子１２方向に移動される。
また、前記第２鏡筒２００４の時計方向の回転によって第２カム面２０３６が移動することにより、第２カムピン２０３０が前記光軸方向に移動され、これにより前記第２可動レンズ支持枠２０２２が光軸方向で前記撮像素子１２方向に移動される。
【００３３】
また、前記第２フレーム側取付ピン２０６８と第４フレーム側取付ピン２０７２に電圧が印加されると、前記第２構造体２０７６、第１取付部２０６２、接続部材２０６０、第２取付部２０６４、第４構造体２０８０という経路で電流が流れ、これにより第２、第４構造体２０７６、２０８０が短縮し、前記第２鏡筒２００４が前記固定レンズ２０１０の前方から見て反時計方向に回転される。
前記第２鏡筒２００４の反時計方向の回転によって第１カム面２０３４が移動することにより、第１カムピン２０２６が前記光軸方向に移動され、これにより前記第１可動レンズ支持枠２０２０が光軸方向で前記固定レンズ２０１０方向に移動される。
また、前記第２鏡筒２００４の反時計方向の回転によって第２カム面２０３６が移動することにより、第２カムピン２０３０が前記光軸方向に移動され、これにより前記第２可動レンズ支持枠２０２２が光軸方向で前記固定レンズ２０１０方向に移動される。
【００３４】
そして、前記第１鏡筒２００２の第１、第２カムピン２０２６、２０３０と、第２鏡筒２００４の第１、第２カム面２０３４、２０３６と、前記第１乃至第４構造体２０７４、２０７６、２０７８、２０８０によって前記第１、第２可動レンズ２０１２、２０１４を光軸方向に移動する前記レンズ移動機構１４が構成されている。
また、本実施の形態においては、前記第１鏡筒２００２の第１、第２カムピン２０２６、２０３０と、第２鏡筒２００４の第１、第２カム面２０３４、２０３６とによって特許請求の範囲のカム手段が構成され、前記前記第１乃至第４構造体２０７４、２０７６、２０７８、２０８０によって特許請求の範囲の回転手段が構成されている。
また、前記第１構造体２０７４、第３構造体２０７８は特許請求の範囲の第１構造体に相当し、第２構造体２０７６、第４構造体２０８０は特許請求の範囲の第１構造体に相当している。
【００３５】
次に上述のように構成された携帯電話機１００によって光学系のズーム比を変更する際の作用について説明する。
携帯電話機１００の利用者が光学系１０を広角に設定するための操作を前記操作入力手段１１０に対して行なうと、これに対応して前記レンズ制御手段１０６は、前記第１フレーム側取付ピン２０６６と第３フレーム側取付ピン２０７０に電圧を印加することにより前記電流の供給を行なう。
すると、前記第１、第３構造体２０７４、２０７８が短縮することで前記第１可動レンズ２０１２、第２可動レンズ２０１４は、前記レンズ移動機構１４の作用によって固定レンズ２０１０に近接する方向に移動される。この結果、前記光学系１０は、そのズーム比が広角となるように設定される。
【００３６】
携帯電話機１００の利用者が光学系１０を望遠に設定するための操作を前記操作入力手段１１０に対して行なうと、これに対応して前記レンズ制御手段１０６は、前記電流を前記第２フレーム側取付ピン２０６８と第４フレーム側取付ピン２０７２に電圧を印加することにより前記電流の供給を行なう。
すると、前記第２、第４構造体２０７６、２０８０が短縮することで前記第１可動レンズ２０１２、第２可動レンズ２０１４は、前記レンズ移動機構１４の作用によって前記撮像素子１２に近接する方向に移動される。この結果、前記光学系１０は、そのズーム比が望遠となるように設定される。
【００３７】
以上説明したように、本実施の形態のレンズ移動機構１４は、第１、第２鏡筒２００２、２００４と、第１鏡筒２００２の内部に光軸方向に移動可能に配設され前記第２鏡筒２００４が回転することで第１鏡筒２００２に対して光軸方向に移動する第１、第２可動レンズ２０１２、２０１４とを備え、前記第２鏡筒２００４の回転が前記フレームと第２鏡筒とにわたって設けられた形状記憶合金からなる第１乃至第４構造体２０７４、２０７６、２０７８、２０８０の伸縮で行なわれるように構成した。
このため、第１の実施の形態と同様に、第１乃至第４構造体は構造が簡素で占有スペースも少なくて済むので、レンズ移動機構を小型化する上で有利であり、このようなレンズ移動機構を組み込んだ種々の電子機器の小型化を図る上でも有利である。
また、構造体の動作時に雑音が発生しないので、電子機器の静粛性を高める上で有利となる。
また、第２鏡筒２００４の回転に伴ってリード線が移動しない構成となっているので、電気的な接続の信頼性を向上する上で有利となる。
また、前記第２鏡筒２００４を回転させる際には、第１、第３構造体２０７４、２０７８の２つの構造体が同時に短縮されるか、第２、第４構造体２０７６、２０８０の２つの構造体が同時に短縮されるかの何れかとなる。したがって、２つの構造体が通電されて短縮するため、発生する伸縮力が第１の実施の形態の場合に比較して大きなものとすることができ、第２鏡筒２００４の回転速度を向上させる上で有利となる。
また、前記第１乃至第４構造体２０７４、２０７６、２０７８、２０８０の両端を、第１乃至第４フレーム側取付ピン２０６６、２０６８、２０７０、２０７２および第１、第２取付部２０６２、２０６４に固着するに際して導電性接着剤を用いたので、半田付けや圧接の場合に比べて構造体と各取付ピンとの電気的な導通を長期間安定した状態に保持する上で有利である。
【００３８】
なお、上述した各実施の形態では、前記第２鏡筒２００４に前記第１、第２カム面２０３４、２０３６が形成され、これら第１、第２カム面２０３４、２０３６に第１、第２可動レンズ枠２０２０、２０２２の第１、第２カムピン２０２６、２０３０が当接されることによって、これら第１、第２カムピン２０２６、２０３０が光軸方向に移動される構成であったが、図１０に示すように、前記第２鏡筒２００４に前記第１、第２カム面２０３４、２０３６に代えて第１、第２カム溝２０８２、２０８４を設け、これら第１、第２カム溝２０８２、２０８４に挿通された前記第１、第２カムピン２０２６、２０３０が光軸方向に移動される構成としてもよいことはもちろんである。
【００３９】
【発明の効果】
以上説明したように本発明によれば、第１鏡筒に結合された第２鏡筒を形状記憶合金から構成された構造体によって回転させることで可動レンズを光軸方向に移動させるので、レンズ移動機構、カメラおよび電子機器の小型化を図る上で有利となる。
【図面の簡単な説明】
【図１】
第１の実施の形態によるレンズ移動機構の斜視図である。
【図２】
本発明の第１の実施の形態における電子機器の構成を示すブロック図である。
【図３】
レンズ移動機構を光軸方向から見た図である。
【図４】
（Ａ）は図１のＸＸ線断面図、（Ｂ）は図１のＹＹ線断面図である。
【図５】
（Ａ）は第１の実施の形態のレンズ移動機構の第１変形例を示す説明図、（Ｂ）は第１の実施の形態のレンズ移動機構の第２変形例を示す説明図、（Ｃ）は第１の実施の形態のレンズ移動機構の第３変形例を示す説明図である。
【図６】
第２の実施の形態によるレンズ移動機構の斜視図である。
【図７】
第２の実施の形態のレンズ移動機構の変形例を示す説明図である。
【図８】
第３の実施の形態によるレンズ移動機構の側面図である。
【図９】
第３の実施の形態によるレンズ移動機構の平面図である。
【図１０】
第２鏡筒の変形例を示す斜視図である。
【符号の説明】
１４……レンズ移動機構、２０１２……第１可動レンズ、２０１４……第２可動レンズ、２０４８……第１構造体、２０５０……第２構造体。
【図１】
2004069950.tif 000003
【図２】
2004069950.tif 000004
【図３】
2004069950.tif 000005
【図４】
2004069950.tif 000006
【図５】
2004069950.tif 000007
【図６】
2004069950.tif 000008
【図７】
2004069950.tif 000009
【図８】
2004069950.tif 000010
【図９】
2004069950.tif 000011
【図１０】
2004069950.tif 000012